(57)【要約】【課題】歯周ポケットに関連する実習訓練を行うことができる歯科模型用模型歯肉等を提供すること。【解決手段】顎模型１は、歯牙の形状を模して造形され歯冠部１１及び歯根部１２を有する模型歯１０と、歯根部１２の深部１４が挿入可能な挿入穴が歯列に沿って形成された歯台２０と、歯根部１２の浅部１３が挿通可能な挿通孔を歯列に沿って形成する内壁３２を有し、外面が歯肉表面の形状を模して造形された可撓性の模型歯肉３０と、を備える。挿入穴及び挿通孔は互いに連通し、模型歯１０は浅部１３が挿通孔に挿通され、深部１４が挿入穴に挿入される。内壁３２は、深部１４側に配置され挿通孔の内方に膨出する第一膨出部３２１と、歯冠部１１側に配置され挿通孔の内方に膨出する第二膨出部３２２とを有し、これら第一膨出部３２１及び第二膨出部３２２の間には凹部３２３が介在する。【選択図】図４
2008310276.tif 000002
【特許請求の範囲】
【請求項１】
歯科模型に用いられ、外面が歯肉表面の形状を模して造形された可撓性の歯科模型用模型歯肉であって、
歯牙の形状を模して造形され歯冠部及び歯根部を有する模型歯の歯根部が挿通可能な挿通孔を形成する内壁が設けられ、
前記内壁は、前記歯根部の深部側に配置され前記挿通孔の内方に膨出する第一膨出部と、前記歯冠部側に配置され前記挿通孔の内方に膨出する第二膨出部とを有し、これら第一膨出部及び第二膨出部の間には所定形状の凹部が介在することを特徴とする歯科模型用模型歯肉。
【請求項２】
請求項１記載の歯科模型用模型歯肉において、
前記第一膨出部及び／又は前記第二膨出部は、前記挿通孔が延びる方向に沿った幅が前記内壁の周回りに亘って変化するように形成されることを特徴とする歯科模型用模型歯肉。
【請求項３】
請求項１又は２記載の歯科模型用模型歯肉において、
前記第一膨出部は、前記第二膨出部と別体として構成されることを特徴とする歯科模型用模型歯肉。
【請求項４】
請求項１から３いずれか記載の歯科模型用模型歯肉において、
前記第一膨出部は、前記第二膨出部よりも大きい硬度を有することを特徴とする歯科模型用模型歯肉。
【請求項５】
歯科模型に用いられ、外面が歯肉表面の形状を模して造形された可撓性の歯科模型用模型歯肉部品であって、
歯牙の形状を模して造形され歯冠部及び歯根部を有する模型歯の歯根部が挿通可能な挿通孔を形成する内壁が設けられ、
前記内壁は、前記歯根部の深部側に配置され前記挿通孔の内方に膨出する第一膨出部を有する歯科模型用模型歯肉部品。
【請求項６】
請求項５記載の歯科模型用模型歯肉部品において、
前記第一膨出部は、前記挿通孔が延びる方向に沿った幅が前記内壁の周回りに亘って変化するように形成されることを特徴とする歯科模型用模型歯肉部品。
【請求項７】
歯科模型に用いられる歯科模型用歯台であって、
内方に向かって所定傾斜角で隆起する急斜部と、この急斜部に内接し内方に向かって前記所定傾斜角未満の角度で傾斜する緩斜部と、を備え、
前記緩斜部には、歯牙の形状を模して造形され歯冠部及び歯根部を有する模型歯の歯根部の深部が挿入可能な挿入穴が形成されている歯科模型用歯台。
【請求項８】
請求項７記載の歯科模型歯台と、
前記歯根部の浅部が挿通可能な挿通孔を形成する内壁が設けられ、外面が歯肉表面の形状を模して造形された可撓性の模型歯肉と、を備え、
前記模型歯肉は、その内面が前記急斜部と密着して対向配置され且つ前記緩斜部と離間するように設置される歯科模型用キット。
【請求項９】
歯牙の形状を模して造形され歯冠部及び歯根部を有する模型歯と、前記歯根部の深部が挿入可能な挿入穴が形成された歯台と、前記歯根部の浅部が挿通可能な挿通孔を形成する内壁が設けられ、外面が歯肉表面の形状を模して造形された可撓性の模型歯肉と、を備え、
前記歯台及び前記模型歯肉は、前記挿入穴及び前記挿通孔が互いに連通するように設置され、
前記模型歯は、前記歯根部の浅部が前記挿通孔に挿通され、前記歯根部の深部が前記挿入穴に挿入されるように設置される歯科模型用キットであって、
前記模型歯肉は、請求項１から４いずれか記載の歯科模型用模型歯肉であることを特徴とする歯科模型用キット。
【請求項１０】
請求項９記載の歯科模型用キットにおいて、
前記第一膨出部は、２０ｇ以上２５ｇ以下の力で押されるポケットプローブが前記第一膨出部と前記歯根部との間に挿入されるように、前記歯根部に当接し、
前記第二膨出部は、２０ｇ以上２５ｇ以下の力で押されるポケットプローブが前記第二膨出部と前記歯根部との間に挿入されないように、前記歯根部に当接することを特徴とする歯科模型用キット。
【発明の詳細な説明】
【技術分野】
【０００１】
本発明は、歯科模型用模型歯肉、歯科模型用模型歯肉部品、歯科模型用歯台、及び、歯科模型用キットに関する。
【背景技術】
【０００２】
従来、主に歯科治療のための実習訓練に、歯科模型が使用されている。歯科模型は、例えば、以下のような構成を備える（特許文献１参照）。
【０００３】
図９は、従来例に係る顎模型１００の全体斜視図である。図１０は、図９のＩＶ−ＩＶ線断面図である。
歯科模型の一例である顎模型１００は、歯牙の形状を模して造形され歯冠部１１１及び歯根部１１２を有する模型歯１１０と、歯根部１１２が嵌合可能な嵌合穴が歯列に沿って配置された歯台１２０と、歯根部１１２が嵌合可能な嵌合孔が歯列に沿って配置された模型歯肉１３０と、を備える。
【０００４】
模型歯肉１３０は、外面が歯肉表面を模した形状に、内面が歯台１２０の上面と略同一形状に、それぞれ形成されている。これにより、模型歯肉１３０の内面が歯台１２０の上面に対向して密着配置され、嵌合穴及び嵌合孔が互いに連通する。
【０００５】
連通した嵌合孔及び嵌合穴には、模型歯１１０の歯根部１１２が挿入される。これにより、歯根部１１２が歯台１２０及び模型歯肉１３０に嵌合するとともに、歯冠部１１１は模型歯肉１３０の外面に係止され、嵌合孔から上方に突出している。
【０００６】
このような顎模型１００によれば、模型歯１１０を歯牙の形状を模して造形し、模型歯肉１３０の外面を歯肉表面を模して造形し、これら模型歯１１０の歯冠部１１１及び模型歯肉１３０を顎模型１００の外面に配置した。これにより、顎模型１００は、外観が実際の口腔内部に類似したものとなるので、歯科治療の実習訓練に使用できる。
【特許文献１】特開２００２−０００６２８号公報
【発明の開示】
【発明が解決しようとする課題】
【０００７】
ところで、近年、歯周炎治療の一環として、歯牙と歯肉との間に形成される歯周ポケットの深さの測定や、歯周ポケット内の歯牙に付着した歯石の除去といった、歯周ポケットに関係する実習訓練に適した歯科模型が要請されている。
【０００８】
しかし、前述した顎模型１００では、模型歯１１０の歯根部１１２を歯台１２０及び模型歯肉１３０に嵌合し、更に模型歯肉１３０及び歯台１２０を互いに密着配置したので、歯周ポケットに相当するような空隙が形成されない。このため、顎模型１００は、歯周ポケットに関係する実習訓練には使用できなかった。
【０００９】
本発明は、以上の実情に鑑みてなされたものであり、歯周ポケットに関連する実習訓練を行うことができる歯科模型用模型歯肉、歯科模型用模型歯肉部品、歯科模型用歯台、及び、歯科模型用キットを提供することを目的とする。
【課題を解決するための手段】
【００１０】
具体的には、本発明は以下のようなものを提供する。
【００１１】
（１）  歯科模型に用いられ、外面が歯肉表面の形状を模して造形された可撓性の歯科模型用模型歯肉であって、
歯牙の形状を模して造形され歯冠部及び歯根部を有する模型歯の歯根部が挿通可能な挿通孔を形成する内壁が設けられ、
前記内壁は、前記歯根部の深部側に配置され前記挿通孔の内方に膨出する第一膨出部と、前記歯冠部側に配置され前記挿通孔の内方に膨出する第二膨出部とを有し、これら第一膨出部及び第二膨出部の間には所定形状の凹部が介在することを特徴とする歯科模型用模型歯肉。
【００１２】
（１）の発明によれば、第一膨出部及び第二膨出部を内壁に設けたので、挿通孔に挿通された歯根部は第一膨出部及び第二膨出部に当接される。また、第一膨出部及び第二膨出部の間には凹部が介在するので、歯根部が凹部から離間する。これによって形成された空隙は、歯根部に当接した第一膨出部及び第二膨出部によって閉じられ、歯周ポケット状の空所を形成する。よって、この空所を活用して歯周ポケットに関連する実習訓練を行うことができる。
【００１３】
（１）記載の歯科模型用模型歯肉は、例えば、以下のような手順で使用される。
まず、ポケットプローブの先端を、第二膨出部と模型歯との当接部位に設置する。この状態でポケットプローブを所定の力で奥へと押す。すると、可撓性の第二膨出部が屈曲し、ポケットプローブが空所へと案内される。
空所に案内されたポケットプローブを更に奥へと押し進めると、やがて、ポケットプローブの先端が第一膨出部の上部に到達する。ここで、空所に挿入されたポケットプローブの長さを測定することにより、空所の深さを測定する。なお、ポケットプローブとは、特に限定されないが、歯周ポケット内に挿入可能な棒状体をいい、挿入深さを測定するための目盛り等が付されていることが好ましい。
【００１４】
（１）の発明によれば、第二膨出部を可撓性としたので、強い力でポケットプローブを押さなくとも、第二膨出部が屈曲し、ポケットプローブが空所に挿入される。このため、ポケットプローブを空所に挿入する際、ポケットプローブを歯周ポケットに挿入する際の感触に近い感触を使用者に与えることができる。
また、第一膨出部を可撓性としたので、第一膨出部に到達したポケットプローブを更に奥へと押すと、歯肉と同様に第一膨出部が弾性変形する。このため、空所の深さを測定する際、歯周ポケットの深さを測定する際の感触に近い感触を使用者に与えることができる。
更に、第一膨出部及び第二膨出部を内壁に設けたので、歯根部が第一膨出部及び第二膨出部の双方によって当接される。このため、模型歯肉を可撓性としても、模型歯の姿勢が支持される。
従って、実際に近い感触で歯周ポケットの深さを測定する訓練を行うことができる。
【００１５】
なお、「所定形状」とは、歯根部と凹部との間に空隙が形成されるような形状である。従って、凹部の形状は、挿通孔に挿通される模型歯の歯根部の形状に応じて、適宜設定してよい。
【００１６】
凹部を模型歯肉ではなく模型歯に設けることで、模型歯と模型歯肉との間に上述したような空所を形成することも考えられる。しかし、模型歯に凹部を設けることは、多大なコストを伴うため、費用的に不利である。
これに対して、（１）の発明によれば、凹部を模型歯肉に設けたので、製造コストを低減できるとともに、従来使用されている模型歯をそのまま使用できる。よって、費用的負担を軽減できる。
【００１７】
また、凹部を模型歯に設けた場合、臨床的に不適切な過度の力で計測練習したとしても、誤った値とならず、練習の成果を臨床にフィードバックすることが困難である。
これに対して、（１）の発明によれば、凹部を模型歯肉に設けたので、臨床的に適切な力（例えば、２０〜２５ｇ）で計測練習した場合には、臨床的触感と同様の触感が得られ、且つ、臨床的に不適切な過度の力で計測練習した場合には、実際の臨床と同様に組織を破壊して誤った計測値が得られる。よって、練習の成果を臨床にフィードバックすることもできる。
【００１８】
なお、本明細書における「歯科模型用模型歯肉」には、第一膨出部及び第二膨出部を組み立てた完成品のみならず、第一膨出部及び第二膨出部が分離した組立て前の状態のものも包含される。
【００１９】
（２）  （１）記載の歯科模型用模型歯肉において、
前記第一膨出部及び／又は前記第二膨出部は、前記挿通孔が延びる方向に沿った幅が前記内壁の周回りに亘って変化するように形成されることを特徴とする歯科模型用模型歯肉。
【００２０】
（２）の発明によれば、第一膨出部及び／又は第二膨出部の幅を内壁の周回りに亘って変化させたので、これら第一膨出部及び第二膨出部によって挟まれる空所の深さが歯根部の周囲に亘って変化し、空所の輪郭が歯周ポケットの輪郭により近似する。よって、歯周ポケットに関連する実習訓練を実際に近い形式で行うことができる。
【００２１】
歯周ポケットの深さは歯の周囲に亘って一定でないため、歯周ポケットの深さを測定する際には、通常、各歯について複数点の深さを測定する方法（例えば、６点法）が採用されている。（２）の発明によれば、かかる方法で歯周ポケットの深さを測定できるので、歯周ポケットの測定訓練をより実際に近い形式で行うことができる。
【００２２】
（３）  （１）又は（２）記載の歯科模型用模型歯肉において、
前記第一膨出部は、前記第二膨出部と別体として構成されることを特徴とする歯科模型用模型歯肉。
【００２３】
歯周ポケットの形状（深さ等）や歯肉の柔らかさ等は、種々の条件によって個人差が大きい場合がある。そこで、（３）の発明によれば、第一膨出部を第二膨出部と別体として構成したので、第一膨出部及び第二膨出部として同一又は異なる形状や素材を採用することで、種々の症例等に近似した条件で訓練を行うことができる。
【００２４】
また、第一膨出部及び第二膨出部が一体的に形成されている場合、ポケットプローブを空所に挿入又は空所内で操作する間に一方の膨出部が変形すると、その変形が他方の膨出部へと伝わって歪みを生じ、実際とは異なる条件となるおそれがある。例えば、ポケットプローブを空所に挿入する際に第二膨出部が変形すると、その変形が伝わって第一膨出部が歪んで歯根部から離間し、実際の歯周ポケットと大きく異なる形状となる場合がある。
しかし（３）の発明によれば、第一膨出部を第二膨出部と別体として構成したので、一方の膨出部の変形が他方の膨出部へと伝導するのが抑制される。これにより、空所の形状が歯周ポケットの形状から大きく外れることが抑制されるので、歯周ポケットの深さを測定する訓練をより実際に近い形式で行うことができる。
【００２５】
（４）  （１）から（３）いずれか記載の歯科模型用模型歯肉において、
前記第一膨出部は、前記第二膨出部よりも大きい硬度を有することを特徴とする歯科模型用模型歯肉。
【００２６】
（４）の発明によれば、第一膨出部の硬度を第二膨出部よりも大きく構成したので、器具（例えば、ポケットプローブ、歯石除去ドリル）は、比較的容易に撓む第二膨出部と歯根部との間に挿入されて空所に案内されるが、比較的撓みにくい第一膨出部と歯根部との間には挿入されにくい。このように、第一膨出部及び第二膨出部が歯周ポケット周囲の歯肉の硬度に近似するので、歯周ポケットに関連する実習訓練を実際に近い形式で行うことができる。
【００２７】
また、空所に案内されたポケットプローブは、比較的撓みにくい第一膨出部と歯根部との間には挿入されずに第一膨出部によって係止される。よって、歯周ポケットの深さの測定と同様の力加減でポケットプローブを操作すれば、空所の深さを測定できる。従って、実際に近い感触で歯周ポケットの深さを測定する訓練を行うことができる。
【００２８】
なお、第一膨出部及び第二膨出部は、互いに分離できるように構成されていてもよく、接着等によって一体化されていてもよい。一体化することで、これらと凹部との境界面に器具が誤って挿入されるような事態を抑制できる。
【００２９】
（５）  歯科模型に用いられ、外面が歯肉表面の形状を模して造形された可撓性の歯科模型用模型歯肉部品であって、
歯牙の形状を模して造形され歯冠部及び歯根部を有する模型歯の歯根部が挿通可能な挿通孔を形成する内壁が設けられ、
前記内壁は、前記歯根部の深部側に配置され前記挿通孔の内方に膨出する第一膨出部を有する歯科模型用模型歯肉部品。
【００３０】
（５）の発明によれば、前述したような第二膨出部及び凹部を追加的に設けることで、（１）の発明と同様の効果が得られる。
【００３１】
（６）  （５）記載の歯科模型用模型歯肉部品において、
前記第一膨出部は、前記挿通孔が延びる方向に沿った幅が前記内壁の周回りに亘って変化するように形成されることを特徴とする歯科模型用模型歯肉部品。
【００３２】
（６）の発明によれば、前述したような第二膨出部及び凹部を追加的に設けることで、（２）の発明と同様の効果が得られる。
【００３３】
（７）  歯科模型に用いられる歯科模型用歯台であって、
内方に向かって所定傾斜角で隆起する急斜部と、この急斜部に内接し内方に向かって前記所定傾斜角未満の角度で傾斜する緩斜部と、を備え、
前記緩斜部には、歯牙の形状を模して造形され歯冠部及び歯根部を有する模型歯の歯根部の深部が挿入可能な挿入穴が形成されている歯科模型用歯台。
【００３４】
（７）の発明によれば、歯科模型用歯台は次のように使用される。
まず、急斜部上に歯肉表面の形状に模した模型歯肉を載置する。ここで、急斜部は内方に向かって所定傾斜角で隆起するため、急斜部表面が模型歯肉の内面形状と適合しやすい。これにより、急斜部上に模型歯肉が密接して対向配置される。一方、急斜部に内接した緩斜部は急斜部よりも傾斜がなだらかである。このため、急斜部上に模型歯肉が密接した状態では、緩斜部が模型歯肉の内面と離間する。
続いて、模型歯を模型歯肉及び模型歯に挿通すると、模型歯肉の内面と、模型歯と、急斜部とによって閉じられた空所が形成されることになる。
よって、この空所を活用することで、歯周ポケットに関連する実習訓練を行うことができる。
【００３５】
例えば、側面に模擬歯石が付着された模型歯を、模擬歯石が空所に配置されるように設置すれば、歯周ポケット内の歯石を除去する実習訓練を行うことができる。あるいは、（５）又は（６）記載の歯肉部品を併用すれば、空所が歯周ポケットに近似した形状となり、前述のような歯周ポケットの深さの測定訓練等を行うこともできる。このように、適宜の模型歯肉と組み合わせることで、多様な実習訓練に使用でき、汎用性を向上できる。
【００３６】
（８）  （７）記載の歯科模型歯台と、
前記歯根部の浅部が挿通可能な挿通孔を形成する内壁を有し、外面が歯肉表面の形状を模して造形された可撓性の模型歯肉と、を備え、
前記模型歯肉は、その内面が前記急斜部と密着して対向配置され且つ前記緩斜部と離間するように設置される歯科模型用キット。
【００３７】
（８）の発明によれば、歯科模型用キットの歯台として、（７）記載の歯台を採用したので、（７）の発明と同様の効果が得られる。
【００３８】
（９）  歯牙の形状を模して造形され歯冠部及び歯根部を有する模型歯と、前記歯根部の深部が挿入可能な挿入穴が形成された歯台と、前記歯根部の浅部が挿通可能な挿通孔を形成する内壁が設けられ、外面が歯肉表面の形状を模して造形された可撓性の模型歯肉と、を備え、
前記歯台及び前記模型歯肉は、前記挿入穴及び前記挿通孔が互いに連通するように設置され、
前記模型歯は、前記歯根部の浅部が前記挿通孔に挿通され、前記歯根部の深部が前記挿入穴に挿入されるように設置される歯科模型用キットであって、
前記模型歯肉は、（１）から（４）いずれか記載の歯科模型用模型歯肉であることを特徴とする歯科模型用キット。
【００３９】
（９）の発明によれば、歯科模型用キットの模型歯肉として、（１）から（４）いずれか記載の模型歯肉を採用したので、（１）から（４）の発明と同様の効果が得られる。
【００４０】
（１０）  （９）記載の歯科模型用キットにおいて、
前記第一膨出部は、前記歯根部の深部側に配置され、２０ｇ以上２５ｇ以下の力で押されるポケットプローブが前記第一膨出部と前記歯根部との間に挿入されるように、前記歯根部に当接し、
前記第二膨出部は、前記歯冠側に配置され、２０ｇ以上２５ｇ以下の力で押されるポケットプローブが前記第二膨出部と前記歯根部との間に挿入されないように、前記歯根部に当接することを特徴とする歯科模型用キット。
【００４１】
通常、ポケットプローブを用いた歯周ポケットの深さの測定は、２０ｇ以上２５ｇ以下の力でポケットプローブを押しながら行われる。
（１０）の発明によれば、２０ｇ以上２５ｇ以下の力で押されるポケットプローブは、歯根部と第二膨出部との間には挿入されて空所に案内されるとともに、歯根部と第一膨出部との間には挿入されずに第一膨出部によって係止される。よって、歯周ポケットの深さの測定と同様の力加減で歯周ポケットを操作すれば、空所の深さを測定できる。
従って、実際に近い感触で歯周ポケットの深さを測定する訓練を行うことができる。
【発明の効果】
【００４２】
本発明によれば、第一膨出部及び第二膨出部を内壁に設けたので、挿通孔に挿通された歯根部は第一膨出部及び第二膨出部に当接される。また、第一膨出部及び第二膨出部の間には凹部が介在するので、歯根部が凹部から離間する。これによって形成された空隙は、歯根部に当接した第一膨出部及び第二膨出部によって閉じられ、歯周ポケット状の空所を形成する。
よって、この空所を活用して歯周ポケットに関連する実習訓練を行うことができる。
【発明を実施するための最良の形態】
【００４３】
以下、本発明の実施形態について、図面を参照しながら説明する。なお、第１実施形態以外の各実施形態の説明において、第１実施形態と共通するものについては、同一符号を付し、その説明を省略若しくは簡略化する。
【００４４】
＜第１実施形態＞
図１は、本発明の第１実施形態に係る顎模型１の全体斜視図である。図２は、図１の分解斜視図である。図３は、図１のＩＩＩ−ＩＩＩ線断面図である。
【００４５】
歯科模型としての顎模型１は、模型歯１０と、歯台２０と、模型歯肉３０と、を備える。
【００４６】
模型歯１０は、歯冠部１１と、歯根部１２と、を有する。この歯根部１２は、浅部１３と、深部１４と、からなる。
【００４７】
歯台２０には、歯根部の深部が挿入可能な挿入穴２１が歯列に沿って形成されている。この２１の周囲には、急斜部２２と、この急斜部２２に内接する緩斜部２３とが設けられている。急斜部２２は挿入穴２１側、つまり内方に向かって大きく（所定傾斜角）傾斜し、緩斜部２３は挿入穴２１側、つまり内方に向かってなだらか（所定傾斜角未満の角度）に傾斜する。なお、急斜部２２及び緩斜部２３は一体成形されていても、別体として構成されていてもよい。
【００４８】
模型歯肉３０は、歯列に沿って設けられた複数の内壁３２を有する。これら内壁３２の各々は、歯根部の浅部が挿通可能な挿通孔３１を形成する。また、内壁３２の各々は、第一膨出部３２１と、第二膨出部３２２とを有し、これら第一膨出部３２１及び第二膨出部３２２の間には凹部３２３が介在する。
【００４９】
第一膨出部３２１及び第二膨出部３２２は、それぞれ、挿通孔３１が延びる方向に沿った幅（Ｔ１、Ｔ２）が内壁３２の周回りに亘って変化するように形成されている。これにより、第一膨出部３２１の上端部３４と第二膨出部の下端部３３との距離が、内壁３２の周回りに亘って変化する。
【００５０】
また、模型歯肉３０は、可撓性部材で形成されている。可撓性部材としては、例えば、ポリエチレンゴム、軟質ウレタン樹脂、軟質エポキシ樹脂、チオコールラバー、不飽和ポリエステル樹脂、シリコーンゴムが挙げられる。
【００５１】
模型歯肉３０は、外面が歯肉表面の形状を模して造形され、内面が歯台２０の上面と略一致する形状に形成されている。これにより、模型歯肉３０の内面が歯台２０の上面に対向して密着配置され、挿入穴２１及び挿通孔３１の各々が互いに連通する。
【００５２】
連通した挿入穴２１及び挿通孔３１には、模型歯１０の歯根部１２が挿入されている。これにより、歯根部１２の深部１４は挿通孔３１に挿入されて模型歯肉３０に嵌合し、歯根部１２の浅部１３は挿入穴２１に挿通されて挿入穴２１に係合する。
【００５３】
より詳細には、深部１４が模型歯肉３０に嵌合することで模型歯１０が植立し、この模型歯１０の姿勢は、浅部１３に当接する第一膨出部３２１及び第二膨出部３２２によって支持されている。一方、凹部３２３は浅部１３から離間する。これにより、第一膨出部３２１、第二膨出部３２２、凹部３２３、模型歯１０は、空所４０を形成している。
この空所４０は、挿通孔３１が延びる方向に沿った深さＤが、歯根部１２の周囲に亘って変化する。
【００５４】
また、第一膨出部３２１は、２０ｇ以上２５ｇ以下の力で押されるポケットプローブＰが、第一膨出部３２１と歯根部１２との間に挿入されるように、歯根部１２に当接している。一方、第二膨出部３２２は、２０ｇ以上２５ｇ以下の力で押されるポケットプローブＰが、第二膨出部３２２と歯根部との間に挿入されないように、歯根部１２に当接する。
【００５５】
また、歯冠部１１は模型歯肉３０の外面に係止され、挿通孔３１から上方に突出している。
【００５６】
以上の顎模型１は、例えば以下のような手順で使用される。
【００５７】
図４は、図３における顎模型１の一使用状態を示す図である。
まず、ポケットプローブＰの先端を、第二膨出部３２２と模型歯１０との当接部位に設置する。この状態でポケットプローブＰを、２０ｇ以上２５ｇ以下の力で下方へと押す。すると、第二膨出部３２２が屈曲し、ポケットプローブＰが空所４０へと案内される。
空所４０に案内されたポケットプローブＰを更に下方へと押し進めると、やがて、ポケットプローブＰの先端が第一膨出部３２１の上部に到達する。ポケットプローブＰは、２０ｇ以上２５ｇ以下の力では、第二膨出部３２２と歯根部との間に挿入されず、第一膨出部３２１の上部に停止する。
ここで、ポケットプローブＰの側面に付された目盛りを読むことにより、空所４０の深さを測定する。
【００５８】
本実施形態によれば、以下のような作用効果が得られる。
【００５９】
凹部３２３を第一膨出部３２１及び第二膨出部３２２の間に介在するように配置したので、歯周ポケット状の空所４０を形成する。よって、空所４０を活用して歯周ポケットに関連する実習訓練を行うことができる。
【００６０】
第一膨出部３２１及び第二膨出部３２２の幅Ｔ１、Ｔ２を内壁３２の周回りに亘って変化させたので、これら第一膨出部３２１及び第二膨出部３２２によって挟まれる空所４０の深さＤが歯根部１２の周囲に亘って変化し、空所４０の輪郭が歯周ポケットの輪郭により近似する。従って、歯周ポケットに関連する実習訓練をより実際に近い形式で行うことができる。
【００６１】
第二膨出部３２２を可撓性としたので、強い力でポケットプローブＰを押さなくとも、第二膨出部３２２が屈曲し、ポケットプローブＰが空所４０に挿入される。このため、ポケットプローブＰを空所４０に挿入する際、ポケットプローブＰを歯周ポケットに挿入する際の感触に近い感触を使用者に与えることができる。
また、第一膨出部３２１を可撓性としたので、第一膨出部３２１の上端部３４に到達したポケットプローブＰを更に奥へと押すと、歯肉と同様に第一膨出部３２１が弾性変形する。このため、空所４０の深さを測定する際、歯周ポケットの深さを測定する際の感触に近い感触を使用者に与えることができる。
更に、第一膨出部３２１及び第二膨出部３２２を内壁３２に設けたので、歯根部１２が第一膨出部３２１及び第二膨出部３２２の双方によって当接される。このため、模型歯肉３０を可撓性としても、模型歯１０の姿勢が支持される。
従って、実際に近い感触で歯周ポケットの深さを測定する訓練を行うことができる。
【００６２】
凹部３２３を模型歯１０ではなく模型歯肉３０に設けたので、製造コストを低減できるとともに、従来使用されている模型歯をそのまま使用できる。よって、費用的負担を軽減できる。更に、臨床的に適切な力（例えば、２０〜２５ｇ）で計測練習した場合には、臨床的触感と同様の触感が得られ、且つ、臨床的に不適切な過度の力で計測練習した場合には、実際の臨床と同様に組織を破壊して誤った計測値が得られる。よって、練習の成果を臨床にフィードバックすることもできる。
【００６３】
２０ｇ以上２５ｇ以下の力で押されるポケットプローブＰは、歯根部１２と第二膨出部３２２との間には挿入されて空所４０に案内されるとともに、歯根部１２と第一膨出部３２１との間には挿入されず、第一膨出部３２１によって係止される。よって、歯周ポケットの深さの測定と同様の力加減でポケットプローブＰを操作すれば、空所４０の深さＤを測定できる。従って、実際に近い感触で歯周ポケットの深さを測定する訓練を行うことができる。
【００６４】
＜第２実施形態＞
図５は、本発明の第２実施形態に係る顎模型１Ａの断面図であって、図３に対応するものである。本実施形態では、模型歯肉３０Ａの構成が第１実施形態と異なる。
【００６５】
即ち、模型歯肉３０Ａは、第一膨出部３２１を有する模型歯肉部品３５と、第二膨出部３２２を有する被覆部品３６とを備え、第一膨出部３２１及び第二膨出部３２２の間には凹部３２３が介在するように設置されている。模型歯肉部品３５は、外面が被覆部品３６の内面と、内面が歯台２０の上面とそれぞれ略一致する形状である。これにより、模型歯肉部品３５の内面が歯台２０の上面に対向して密着配置されるとともに、模型歯肉部品３５の外面に被覆部品３６の内面が対向して密着配置され、挿入穴２１及び挿通孔３１の各々が互いに連通する。
【００６６】
第一膨出部３２１及び第二膨出部３２２は異なる素材で構成され、具体的には第一膨出部３２１がシリコーンゴム、第二膨出部３２２がウレタンゴムで構成されている。これにより、第一膨出部３２１は第二膨出部３２２よりも大きい硬度を有する。また、本実施形態では、模型歯肉部品３５の外面及び被覆部品３６の内面が接着され、これにより模型歯肉部品３５及び被覆部品３６が一体的に形成されている。
【００６７】
なお、第一膨出部３２１は、その弾性度が第二膨出部３２２と異なっていてもよく、好ましくは弾性度が第二膨出部よりも小さい。
【００６８】
本実施形態によれば、前述した第１実施形態による作用効果に加えて、以下のような作用効果が得られる。
【００６９】
第一膨出部３２１の硬度を第二膨出部３２２よりも大きく構成したので、器具（例えば、ポケットプローブ、歯石除去ドリル）は、比較的容易に撓む第二膨出部３２２と歯根部１２との間に挿入されて空所４０に案内されるが、比較的撓みにくい第一膨出部３２１と歯根部１２との間には挿入されにくい。このように、第一膨出部３２１及び第二膨出部３２２が歯周ポケット周囲の歯肉の硬度に近似するので、歯周ポケットに関連する実習訓練を実際に近い形式で行うことができる。
【００７０】
空所４０に案内されたポケットプローブＰは、比較的撓みにくい第一膨出部３２１と歯根部１２との間には挿入されずに第一膨出部３２１によって係止される。よって、歯周ポケットの深さの測定と同様の力加減でポケットプローブＰを操作すれば、空所４０の深さを測定できる。従って、実際に近い感触で歯周ポケットの深さを測定する訓練を行うことができる。
【００７１】
第一膨出部３２１及び第二膨出部３２２を接着によって一体化したので、これらと凹部との境界面にポケットプローブが誤って挿入されるような事態を抑制できる。
【００７２】
＜第３実施形態＞
図６は、本発明の第３実施形態に係る顎模型１Ｂの分解斜視図である。本実施形態では、模型歯肉３０Ｂの構成が第２実施形態と異なる。
【００７３】
即ち、被覆部品３６Ｂは、模型歯肉部品３５Ｂに着脱可能に設けられ、全体として模型歯肉３０Ｂを構成する。これにより、模型歯肉部品３５Ｂのみを交換することで、空所４０の形状や第一膨出部３２１の硬度や弾性度等の種々の条件を変更できることになる。このように、模型歯肉部品３５Ｂ及び被覆部品３６Ｂが別体として形成されている。
【００７４】
本実施形態によれば、前述した第２実施形態による作用効果に加えて、以下のような作用効果が得られる。
【００７５】
第一膨出部３２１を第二膨出部３２２と別体として構成したので、第一膨出部３２１及び第二膨出部３２２として同一又は異なる形状や素材を採用することで、種々の症例等に近似した条件で訓練を行うことができる。
【００７６】
一方の膨出部の変形が他方の膨出部へと伝導するのが抑制されるので、空所４０の形状が歯周ポケットの形状から大きく外れることが抑制される。よって、歯周ポケットの深さを測定する訓練をより実際に近い形式で行うことができる。
【００７７】
＜第４実施形態＞
図７は、本発明の第４実施形態に係る顎模型１Ｃの分解斜視図である。本実施形態は、模型歯肉部品３５が設けられていない点で第２実施形態と異なる。
【００７８】
即ち、模型歯肉３０Ｃは、模型歯肉部品３５を備えておらず、被覆部品３６のみで構成されている。これにより、空所４０Ｃは広大な空間になる。一方、歯根部１２の周囲には模擬歯石４５が付着されており、この模擬歯石４５が空所４０Ｃ内に配置されている。模擬歯石４５は、特に限定されず、従来公知の色素等を歯根部１２の周囲に塗布することで作製できる。
【００７９】
なお、急斜部２２の所定傾斜角は急斜部２２の表面が被覆部品３６の内面と対称となるように設定され、緩斜部２３の傾斜角は空所４０Ｃの所望の形状に応じて適宜設定されてよい。
【００８０】
このような顎模型１Ｃは例えば以下のような手順で使用される。
【００８１】
図８は、図９の顎模型１Ｃの使用状態を示す断面図である。
まず、ドリルＤの先端を、第二膨出部３２２と模型歯１０との当接部位に設置する。この状態でドリルＤを下方へと押すと、第二膨出部３２２が屈曲してドリルＤが空所４０Ｃへと案内される。
空所４０Ｃに案内されたドリルＤを更に下方へと押し進めると、やがて、ドリルＤの先端が模擬歯石４５に到達する。ここで、ドリルＤの先端を歯根部１２に擦りつけることにより、模擬歯石４５が歯根部１２から剥がれる。剥がれた模擬歯石４５を外部へと排出することで、模擬歯石４５を空所４０Ｃから除去できる。
【００８２】
本実施形態によれば、以下のような作用効果が得られる。
【００８３】
空所４０Ｃを広大に形成したので、模擬歯石４５を歯根部１２の周囲に広範囲に亘って多量に付着できる。これにより、長時間に亘って模擬歯石４５の除去の感触等を知覚でき、歯石除去訓練を充分に行うことができる。
【００８４】
本発明は前記実施形態に限定されるものではなく、本発明の目的を達成できる範囲での変形、改良等は本発明に含まれるものである。
【００８５】
例えば、第２実施形態では、第一膨出部３２１及び第二膨出部３２２を接着して一体的に形成したが、第一膨出部３２１が第二膨出部３２２よりも大きい硬度を有する限りにおいて限定されない。また、第３実施形態では、第一膨出部３２１が第二膨出部３２２よりも大きい硬度を有する構成としたが、別体である限りにおいて限定されない。
【００８６】
第１〜第３実施形態では、空所４０を活用した歯周ポケットの測定訓練に顎模型を使用したが、これに限られず、歯石除去を始め、歯周ポケットに関連する任意の実習訓練を行ってよい。同様に、第４実施形態では、空所４０Ｃを活用した歯石除去訓練に顎模型を使用したが、歯周ポケットの測定訓練を始め、歯周ポケットに関連する任意の実習訓練を行ってよい。
【００８７】
前記実施形態では、内壁を歯列全体に沿って設けたが、これに限られず、歯列の一部のみに沿って内壁を設け、あるいは任意の模型歯１個に対応する内壁のみを設けてもよい。
【図面の簡単な説明】
【００８８】
【図１】本発明の第１実施形態に係る歯科模型の全体斜視図である。
【図２】図１の分解斜視図である。
【図３】図１のＩＩＩ−ＩＩＩ線断面図である。
【図４】図３における歯科模型の一使用状態を示す図である。
【図５】本発明の第２実施形態に係る歯科模型の断面図である。
【図６】本発明の第３実施形態に係る歯科模型の分解斜視図である。
【図７】本発明の第４実施形態に係る歯科模型の全体斜視図である。
【図８】図７の歯科模型の一使用状態を示す断面図である。
【図９】従来例に係る歯科模型の全体斜視図である。
【図１０】図９のＩＶ−ＩＶ線断面図である。
【符号の説明】
【００８９】
１、１Ａ、１Ｂ、１Ｃ  顎模型（歯科模型）
１０  模型歯
１１  歯冠部
１２  歯根部
１３  浅部
１４  深部
２０  歯台
２１  挿入穴
２２  急斜部
２３  緩斜部
３０、３０Ａ、３０Ｂ、３０Ｃ  模型歯肉
３１  挿通孔
３２  内壁
３３  下端部
３４  上端部
３５  模型歯肉部品
４０、４０Ｃ  空所
３２１  第一膨出部
３２２  第二膨出部
３２３  凹部
【図１】
2008310276.tif 000003
【図２】
2008310276.tif 000004
【図３】
2008310276.tif 000005
【図４】
2008310276.tif 000006
【図５】
2008310276.tif 000007
【図６】
2008310276.tif 000008
【図７】
2008310276.tif 000009
【図８】
2008310276.tif 000010
【図９】
2008310276.tif 000011
【図１０】
2008310276.tif 000012